(57)【要約】【課題】美観が高く且つ耐久性の高い把持部材を有するグリル扉を提供する。【解決手段】グリル扉１における窓部１３の下方のパネル部材１５に把持部材１６を設ける。把持部材１６をハンドル部２３と連結部２４とで構成する。連結部２４を、ハンドル部２３の両端部からパネル部材１５に向かって延び、その先端がパネル部材１５に当接する基体部３３と、基体部３３の少なくとも露出する表面に一定の厚みで基体部３３と一体に形成された被覆部３５とで構成する。パネル部材１５に連結する基体部３３を、耐油性を有する合成樹脂により形成し、表面にメッキを施す被覆部３５を、メッキの密着性を有する合成樹脂により形成する。【選択図】図３
2011257024.tif 000002
【特許請求の範囲】
【請求項１】
グリル庫の前面開口を開閉自在とするグリル扉であって、該グリル庫内を外部から視認可能とする窓部が形成された扉枠と、該扉枠の窓部に保持されたガラス板と、該ガラス板の下縁側に位置して前記扉枠に連結されたパネル部材と、該パネル部材の前方に設けられた把持部材とを備え、該把持部材は、前記パネル部材から所定の空隙を存して該パネル部材に沿って延びる横長のハンドル部と、該ハンドル部の両端部に設けられて該ハンドル部を前記パネル部材に連結する連結部とを備えるグリル扉において、
前記連結部は、前記ハンドル部の両端部から前記パネル部材に向かって延び、その先端が前記パネル部材に当接する基体部と、該基体部の少なくとも露出する表面に一定の厚みで該基体部と一体に形成された被覆部とを備え、
前記基体部は、耐油性を有する合成樹脂により形成され、
前記被覆部は、メッキの密着性を有する合成樹脂により形成されてその表面にメッキが施されていることを特徴とするグリル扉。
【請求項２】
前記基体部は、アクリルニトリル・ブタジエン・スチレン共重合樹脂よりも耐油性の高い合成樹脂により形成されていることを特徴とする請求項１記載のグリル扉。
【請求項３】
前記被覆部は、アクリルニトリル・ブタジエン・スチレン共重合樹脂と同等以上にメッキの密着性が高い合成樹脂により形成されていることを特徴とする請求項１又は２記載のグリル扉。
【発明の詳細な説明】
【技術分野】
【０００１】
本発明は、グリル庫を開閉するグリル扉に関する。
【背景技術】
【０００２】
従来、この種のグリル扉においては、上半部にガラス板が嵌め込まれた窓部を有する扉枠を備え、下半部に樹脂製のパネル部材が設けられ、更に、このパネル部材の前面側に左右方向に延びる棒状の握り部を備える把持部材が取り付けられているものが知られている（例えば、特許文献１参照）。
【０００３】
そして把持部材は、前記パネル部材から所定の空隙を存して該パネル部材に沿って延びる横長のハンドル部と、該ハンドル部の両端部に設けられて該ハンドル部を前記パネル部材に連結する連結部とを備えることにより構成されている。
【０００４】
この把持部材は、そのハンドル部とパネル部材との間に使用者の手が挿通可能な空隙を存して設けられているため、グリル扉のハンドル部が握りやすく、手の力が十分でなくても把持力を効果的に用いることができる。これにより、調理物の載った焼き網とその下方にある汁受け皿とをグリル扉と共に引出して開閉操作を行う所謂引出し式のグリル扉に好適に採用されている。
【０００５】
そして、近年では、グリル扉の清掃性や美観を向上させるめにパネル部材や把持部材のハンドル部をステンレス等の金属で形成したり、合成樹脂の基体をステンレス等の金属板で覆うことが行われている。一方、把持部材の軽量化や熱の伝達を考慮して前記連結部は合成樹脂で形成され、更に、パネル部材やハンドル部との一体感を得るために、連結部の露出する表面にメッキが施される。連結部に用いられる合成樹脂としては、メッキの密着性（剥離し難さ）、耐熱性、耐衝撃性等を考慮して、一般に、アクリルニトリル・ブタジエン・スチレン共重合樹脂（以下、ＡＢＳという）が採用される。
【先行技術文献】
【特許文献】
【０００６】
【特許文献１】特開２００１−５９６１９号公報
【発明の概要】
【発明が解決しようとする課題】
【０００７】
ところで、調理の際に、油煙や飛散した食用油がグリル扉に付着すると、このときの油類がパネル部材と連結部との間に侵入することがある。
【０００８】
しかし、メッキの密着性の高さと耐熱性とを両立させるために連結部がＡＢＳにより形成されていると、油類の影響により連結部が劣化し、連結部に割れが生じることがある。一般に、ＡＢＳによる成形品においては、樹脂を溶解させるような溶剤でなくても、成形過程で発生した内部応力（残留応力）がある場合に、油類との接触により成形品の応力部分を基点にストレスクラックと言われる亀裂が発生する。
【０００９】
そこで、連結部をＡＢＳよりも耐油性の高い合成樹脂により形成することが考えられるが、一般に耐油性の高い合成樹脂はその表面におけるメッキの密着性が低く、連結部に施したメッキが剥離して美観を損なう不都合がある。
【００１０】
上記の点に鑑み、本発明は、美観が高く且つ耐久性の高い把持部材を有するグリル扉を提供することを目的とする。
【課題を解決するための手段】
【００１１】
本発明は、グリル庫の前面開口を開閉自在とするグリル扉であって、該グリル庫内を外部から視認可能とする窓部が形成された扉枠と、該扉枠の窓部に保持されたガラス板と、該ガラス板の下縁側に位置して前記扉枠に連結されたパネル部材と、該パネル部材の前方に設けられた把持部材とを備え、該把持部材は、前記パネル部材から所定の空隙を存して該パネル部材に沿って延びる横長のハンドル部と、該ハンドル部の両端部に設けられて該ハンドル部を前記パネル部材に連結する連結部とを備えるグリル扉において、前記連結部は、前記ハンドル部の両端部から前記パネル部材に向かって延び、その先端が前記パネル部材に当接する基体部と、該基体部の少なくとも露出する表面に一定の厚みで該基体部と一体に形成された被覆部とを備え、前記基体部は、耐油性を有する合成樹脂により形成され、前記被覆部は、メッキの密着性を有する合成樹脂により形成されてその表面にメッキが施されていることを特徴とする。
【００１２】
本発明によれば、前記連結部を基体部と被覆部とで構成し、基体部には耐油性を有する合成樹脂を用いたことにより、パネル部材と連結部の基体部と間に油類が侵入しても、その油類の影響による連結部の割れの発生を抑制することができ、被覆部にはメッキの密着性を有する合成樹脂を用いたことにより、連結部の表面に確実にメッキを施すことができる。しかも、被覆部は、基体部の表面に一定の厚みで該基体部と一体に形成されているので、被覆部を基体部と一体に成形する場合に、被覆部にヒケ等の成形不良が生じることを防止することができ、被覆部と基体部とが一体に成形された状態を確実に維持することができる。従って、本発明によれば、美観が高く且つ耐久性の高い把持部材を有するグリル扉を提供することができる。
【００１３】
また、本発明のグリル扉における前記基体部は、ＡＢＳよりも耐油性の高い合成樹脂により形成されていることが好ましい。これにより、前記基体部の油類に対する耐久性を従来のものに比べて確実に向上させることができる。
【００１４】
なお、前記基体部の材料として採用することが可能であってＡＢＳよりも耐油性の高い合成樹脂として、ＰＢＴ／ＡＢＳ（ポリブチレンテレフタレートとＡＢＳとの混合樹脂）、ＰＥＴ／ＰＢＴ（ポリエチレンテレフタレートとポリブチレンテレフタレートとの混合樹脂）、ＡＳＡ／ＰＢＴ（アクリルニトリルスチレンアクリレートとポリブチレンテレフタレートとの混合樹脂）、ＰＯＭ（ポリオキシメチレン）、ＰＰＯ（ポリフェニレンオキサイド）、ＰＰＳ（ポリフェニレンサルファイド）、ＰＡ６／ＡＢＳ（カプロラクタムを開環重縮合したポリアミドとＡＢＳとの混合樹脂）を挙げることができる。
【００１５】
また、本発明のグリル扉における前記被覆部は、ＡＢＳと同等以上にメッキの密着性が高い合成樹脂により形成されていることが好ましい。これにより、前記被覆部の美粧性と耐久性とを確実に向上させることができる。
【００１６】
なお、前記被覆部の材料として採用することが可能であってＡＢＳと同等以上にメッキの密着性が高い合成樹脂としては、ＡＢＳ以外ではＰＣ／ＡＢＳ（ポリカーボネートとＡＢＳとの混合樹脂）を挙げることができる。
【図面の簡単な説明】
【００１７】
【図１】本発明の実施形態のグリル扉を備えるグリル付きガスコンロの斜視図。
【図２】本実施形態のグリル扉の斜視図。
【図３】本実施形態のグリル扉の要部の断面図。
【図４】本実施形態の把持部材の分解斜視図。
【図５】他の実施形態のグリル扉の要部の断面図。
【図６】他の実施形態の把持部材の分解斜視図。
【発明を実施するための形態】
【００１８】
本発明の実施形態を図面に基づいて説明する。図１に示すように、本実施形態のグリル扉１は、グリル付きコンロ２の前面側の中央部に設けられ、グリル付きコンロ２の内部に設けられた図示しないグリル庫の前面開口を開閉するものである。
【００１９】
グリル付きコンロ２は、システムキッチンのカウンタトップ（図示せず）に組み込むドロップイン式であり、上面を開放面とする箱形のコンロ本体３を備えている。コンロ本体３の上部には天板４が設けられ、天板４からはコンロ本体３に支持されたコンロバーナ５，６，７が上方に露出している。グリル付きコンロ２の前面側におけるグリル扉１の両側には、各コンロバーナ５，６，７用の操作スイッチ８，９，１０や、グリル庫内の図示しないグリルバーナ用の操作スイッチ１１等が設けられている。
【００２０】
グリル扉１は、図２に示すように、扉枠１２と、扉枠１２に開設した窓部１３を覆うガラス板１４と、ガラス板１４の下縁側に位置して扉枠１２に連結されたパネル部材１５と、パネル部材１５の前面側に設けられた把持部材１６とを備えている。
【００２１】
また、グリル扉１は、図示しないが、グリル庫内に収納するグリル皿を抱持する引出し枠の前端に連結されている。これにより、図１に示す状態からグリル扉１を前方に引いたとき、グリル庫の前面開口が開かれると共に、引出し枠を介してグリル皿がグリル庫から引き出されるようになっている。
【００２２】
扉枠１２は、鋼板のプレス成形品で構成されており、図３に示すように、前方に凹入する凹入部１７を形成して、凹入部１７の前端面に窓部１３を開設している。また、図２に示すように、扉枠１２の上端には、ガラス板１４の上縁を受ける上サッシュ部１８が設けられている。また、図３に示すように、扉枠１２の凹入部１７の下方にはパネル部材１５用の取付け板部１９が延設されている。
【００２３】
パネル部材１５は、図３に示すように、耐熱樹脂製のパネル本体部２０と、パネル本体部２０の前面を覆う金属製の薄板から成る前面板２１とで構成されている。なお、前面板２１は、接着剤によりパネル本体部２０の前面に貼り付けられると共に、その両端部が後述するように把持部材１６の止めネジ２２によりパネル本体部２０に固定される。
【００２４】
把持部材１６は、図２及び図４に示すように、左右に延びる金属製のパイプにより形成されたハンドル部２３と、ハンドル部２３の両端からパネル部材１５に向かって延びる一対の連結部２４とにより構成されている。
【００２５】
連結部２４は、図４に示すように、ハンドル部２３に挿入してハンドル部２３を支持するハンドル支持部２５を備えている。また、連結部２４は、図３に示すように、前記止めネジ２２を螺着する雌ネジ部材２６が嵌入された嵌入穴２７と、パネル部材１５の位置決め孔２８に係合する位置決め凸部２９とを備えている。更に、図４に示すように、連結部２４のハンドル支持部２５には、ハンドル部２３の端部に形成された切欠き３０に係合してハンドル部２３を回り止めする突起３１が形成されている。
【００２６】
また、連結部２４は、図３に示すように、ハンドル部２３の両端部からパネル部材１５に向かって下降しつつ延びて、その先端にパネル部材１５に当接する当接面３２を有する基体部３３と、基体部３３の当接面３２及びハンドル支持部２５の内部側面３４（図４参照）を除く基体部３３の表面に一定の厚みで形成された被覆部３５とを備えている。そして、被覆部３５の外面にはメッキが施され高い美観を得ている。なお、メッキ層は図示省略した。
【００２７】
連結部２４は、ブロック状に形成されているが（図４参照）、連結部２４の基体部３３と被覆部３５とは異なる合成樹脂材料が用いられてモールド成形等により一体に成形されている。
【００２８】
ここで、連結部２４の合成樹脂材料について説明する。本実施形態においては、基体部３３と雌ネジ部材２６とはＰＥＴ／ＰＢＴ（ポリエチレンテレフタレートとポリブチレンテレフタレートとの混合樹脂）により形成され、被覆部３５はＡＢＳ（アクリルニトリル・ブタジエン・スチレン共重合樹脂）により形成されている。ＰＥＴ／ＰＢＴは、ＡＢＳよりも耐油性が高い。ＰＥＴ／ＰＢＴを基体部３３の合成樹脂材料として用いることにより、図３に示す連結部２４の当接面３２とパネル部材１５の前面板２１との間に油類（調理により発生する油煙や食用油）が侵入しても、油類の影響による基体部３３の割れ等が防止できる。そして、これによって、特に、位置決め凸部２９や雌ネジ部材２６を嵌入する嵌入穴２７に割れが生じることによる把持部材１６のガタ付きや外れが防止でき、パネル部材１５への把持部材１６の連結状態を確実に維持することができる。
【００２９】
なお、本発明者は、連結部２４の基体部３３に好適に採用できる耐油性の高い合成樹脂の選定においては、周知の耐薬品性の評価方法である１／４楕円法を用いた。即ち、本発明者は、各種合成樹脂のテストピースにサラダ油を接触させ、温度及び時間の同一条件下で白化及びストレスクラックが発生する歪み量（臨界歪値）を測定することにより各種合成樹脂の評価を行った。その結果によれば、連結部２４の基体部３３（及び雌ネジ部材２６）の材料として、ＰＢＴ／ＡＢＳ（ポリブチレンテレフタレートとＡＢＳとの混合樹脂）、ＰＥＴ／ＰＢＴ（ポリエチレンテレフタレートとポリブチレンテレフタレートとの混合樹脂）、ＡＳＡ／ＰＢＴ（アクリルニトリルスチレンアクリレートとポリブチレンテレフタレートとの混合樹脂）、ＰＯＭ（ポリオキシメチレン）、ＰＰＯ（ポリフェニレンオキサイド）、ＰＰＳ（ポリフェニレンサルファイド）、ＰＡ６／ＡＢＳ（カプロラクタムを開環重縮合したポリアミドとＡＢＳとの混合樹脂）の何れかが好適に採用できることが明らかとなった。
【００３０】
しかし、連結部２４の全体をＰＥＴ／ＰＢＴのみで（被覆部３５を設けないで）形成すると、連結部２４の表面に良好にメッキを施すことができないか、メッキを施すことができても容易に剥離してしまうことがある。そこで、基体部３３に被覆部３５を一体に設け、本実施形態においてはメッキとの密着性の高いＡＢＳを被覆部３５の合成樹脂材料として用いることにより、メッキを確実に定着させて連結部２４における高い美観を得ることができる。
【００３１】
更に、被覆部３５は一定の厚み寸法に設けられているので、成形時のヒケ等が生じ難く、良好な外観を維持することができる。
【００３２】
なお、連結部２４の被覆部３５に施すメッキとしては、コンロ全体のデザインに応じて適宜選択されるものであるが、例えば、ニッケル、クロム、金等を挙げることができる。また、連結部２４の被覆部３５の材料として、ＡＢＳと同等かそれ以上のメッキの密着性を有するものが採用でき、ＡＢＳ以外では、ＰＣ／ＡＢＳ（ポリカーボネートとＡＢＳとの混合樹脂）を採用することができる。
【００３３】
また、連結部２４は、図５及び図６に示す他の形態のように、パネル部材１５に当接する当接面３２を被覆部３５により形成してもよい。他の形態による連結部２４は、図５に示すように、前記止めネジ２２を螺着する雌ネジ部材２６が嵌入された嵌入穴２７と、パネル部材１５の位置決め孔２８ａ，２８ｂに夫々係合する位置決め凸部２９ａ，２９ｂとを備えている。その他、上述した実施形態と同様の構成部分は同一の符号を付して説明を省略する。
【００３４】
他の形態の連結部２４においても、基体部３３及び雌ネジ部材２６には上述したような耐油性を有する合成樹脂材料が用いられ、被覆部３５には上述したようなメッキの密着性を有する合成樹脂材料が用いられて同様の効果を有するものとなる。
【００３５】
また、他の形態の連結部２４によれば、基体部３３と被覆部３５との境界部分が極めて小さいだけでなく、雌ネジ部材２６により覆われるので、食用油等が被覆部３５の端面に付着するのを一層確実に防止することができる。
【００３６】
なお、本実施形態においては、ドロップイン式のグリル付きコンロに設けるグリル扉１に本発明を適用して説明したが、卓上式のグリル付きコンロに設けるグリル扉にも同様に本発明を適用できる。
【符号の説明】
【００３７】
１…グリル扉、１２…扉枠、１３…窓部、１４…ガラス板、１５…パネル部材、１６…把持部材、２３…ハンドル部、２４…連結部、３２…当接面、３３…基体部、３５…被覆部。
【図１】
2011257024.tif 000003
【図２】
2011257024.tif 000004
【図３】
2011257024.tif 000005
【図４】
2011257024.tif 000006
【図５】
2011257024.tif 000007
【図６】
2011257024.tif 000008